(57)【特許請求の範囲】
【請求項１】
天井に取り付けられ、側方に突出する本体ツメ部を有する室内機本体と、
前記室内機本体に着脱自在に組付けられる組付けユニットと、
前記組付けユニットに設けられ、前記室内機本体に前記組付けユニットを仮掛けする仮掛け装置と、
前記組付けユニットに着脱自在に取り付けられる化粧パネルと、
前記化粧パネルに設けられ、前記組付けユニットに前記化粧パネルを仮掛けする化粧パネル用フックと、を備え、
前記仮掛け装置は、
前記組付けユニットに取り付けられる組付け具と、
前記組付け具に回転自在に取り付けられ、前記本体ツメ部に引っ掛けられるフック部と、を有し、
前記フック部は、
前記組付け具に回転自在に設けられた水平に延びる一対の回転軸部と、
一対の前記回転軸部から上方に延びる一対の脚部と、
一対の前記脚部に接続され、一対の前記脚部よりも内側において上方に延びる一対の規制部と、
一対の前記規制部に接続され、前記本体ツメ部に引っ掛けられる枠状の仮掛け部と、を有し、
前記組付け具は、
前記化粧パネル用フックが引掛けられる組付けツメ部を更に有し、
前記脚部は、
前記組付けツメ部から離間している
空気調和機の室内機。
【請求項２】
前記組付け具は、
前記組付けユニットに取り付けられる本体部と、
前記本体部に設けられ、前記回転軸部が挿入される軸挿入部と、
前記本体部に設けられ、前記軸挿入部を軸として回転する前記フック部の回転範囲を規制するストッパと、を有する
請求項１記載の空気調和機の室内機。
【請求項３】
前記ストッパは、
前記フック部が回転したときの移動量が、前記本体ツメ部の突出長さよりも短くなるように、前記フック部の回転範囲を規制する
請求項２記載の空気調和機の室内機。
【請求項４】
前記ストッパは、
前記規制部が前記室内機本体側に回転することを規制するように、前記規制部の室内機本体側を押さえる本体側押さえ部を有する
請求項２又は３記載の空気調和機の室内機。
【請求項５】
前記ストッパは、
前記規制部が前記室内機本体とは反対側に回転することを規制するように、前記規制部の室内機本体側とは反対側を押さえる反対側押さえ部を有する
請求項２〜４のいずれか１項に記載の空気調和機の室内機。
【発明の詳細な説明】
【技術分野】
【０００１】  本発明は、室内機本体に組付けユニットを仮掛けする仮掛け装置を備える空気調和機の室内機に関する。
【背景技術】
【０００２】  従来、空気調和機の室内機として、天井に埋め込められる天井埋め込み形空気調和機の室内機が知られている。天井埋め込み形空気調和機の室内機は、概して、据え付けられた室内機本体に組付けユニット及び化粧パネル等が取り付けられる。特許文献１〜４には、室内機本体に組付けユニット及び化粧パネル等を取り付けることを容易にすることを目的として、ネジ等を用いて本固定を行う前に、一時的に仮掛けして固定する仮掛け装置が開示されている。特許文献１〜４の仮掛け装置は、いずれもＵ字状に曲げられたフックが回転自在に設けられ、フックに対応するツメにフックが係止されるものである。
【先行技術文献】
【特許文献】
【０００３】
【特許文献１】特開２００２−３４９８９２号公報
【特許文献２】特開２０１４−２１５０２４号公報
【特許文献３】特開２００３−２１４６４５号公報
【特許文献４】特開２００９−３６３９４号公報
【発明の概要】
【発明が解決しようとする課題】
【０００４】  しかしながら、特許文献１〜４に開示された仮掛け装置は、Ｕ字状に曲げられたものであるため、大きな力で引っ張られた際にフックが容易に変形して仮掛けが解除されるおそれがある。室内機本体と化粧パネルとの間に取り付けられる組付けユニット等の重量が大きい機器の仮掛けの解除を抑制することが望まれている。【０００５】  本発明は、上記のような課題を解決するためになされたもので、組付けユニットの仮掛けの解除を抑制する空気調和機の室内機を提供するものである。
【課題を解決するための手段】
【０００６】
本発明に係る空気調和機の室内機は、天井に取り付けられ、側方に突出する本体ツメ部を有する室内機本体と、室内機本体に着脱自在に組付けられる組付けユニットと、組付けユニットに設けられ、室内機本体に組付けユニットを仮掛けする仮掛け装置と、組付けユニットに着脱自在に取り付けられる化粧パネルと、化粧パネルに設けられ、組付けユニットに化粧パネルを仮掛けする化粧パネル用フックと、を備え、仮掛け装置は、組付けユニットに取り付けられる組付け具と、組付け具に回転自在に取り付けられ、本体ツメ部に引っ掛けられるフック部と、を有し、フック部は、組付け具に回転自在に設けられた水平に延びる一対の回転軸部と、一対の回転軸部から上方に延びる一対の脚部と、一対の脚部に接続され、一対の脚部よりも内側において上方に延びる一対の規制部と、一対の規制部に接続され、本体ツメ部に引っ掛けられる枠状の仮掛け部と、を有し、組付け具は、化粧パネル用フックが引掛けられる組付けツメ部を更に有し、脚部は、組付けツメ部から離間している。
【発明の効果】
【０００７】  本発明によれば、仮掛け装置のフック部が一対の規制部を有しているため、仮掛け部に上方向の大きな力が加わって一対の脚部が内側に撓もうとしても、その前に一対の規制部同士がぶつかる。このため、一対の脚部が撓もうとすることを抑制する。従って、仮掛け装置の変形が抑制されるため、室内機本体に組付けユニットの仮掛けの解除を抑制することができる。
【図面の簡単な説明】
【０００８】
【図１】本発明の実施の形態１に係る空気調和機１０００を示す回路図である。
【図２】本発明の実施の形態１に係る空気調和機１０００の室内機５０を示す組立斜視図である。
【図３】本発明の実施の形態１に係る空気調和機１０００の室内機５０を示す断面図である。
【図４】本発明の実施の形態１に係る空気調和機１０００の室内機５０を示す分解斜視図である。
【図５】本発明の実施の形態１に係る仮掛け装置７を示す斜視図である。
【図６】本発明の実施の形態１に係るフック部９を示す正面図である。
【図７】本発明の実施の形態１に係るフック部９を示す断面図である。
【図８】比較例に係る仮掛け装置９０を示す正面図である。
【図９】本発明の実施の形態２に係る仮掛け装置７ａを示す斜視図である。
【図１０】本発明の実施の形態２に係る仮掛け装置７ａを示す断面図である。
【発明を実施するための形態】
【０００９】実施の形態１．  以下、本発明に係る空気調和機の室内機の実施の形態について、図面を参照しながら説明する。図１は、本発明の実施の形態１に係る空気調和機１０００を示す回路図である。図１に示すように、空気調和機１０００は、室内空間の空気を調整する装置であり、室外機６０と、室内機５０とを備えている。室外機６０には、圧縮機７１、流路切替装置７２、室外熱交換器７３、室外送風機７４及び膨張部７５が設けられている。室内機５０には、熱交換器３及び遠心送風機２が設けられている。
【００１０】  圧縮機７１、流路切替装置７２、室外熱交換器７３、膨張部７５及び熱交換器３が配管により接続されて冷媒回路７０が構成されている。圧縮機７１は、低温低圧の状態の冷媒を吸入し、吸入した冷媒を圧縮して高温高圧の状態の冷媒にして吐出するものである。流路切替装置７２は、冷媒回路７０において冷媒が流れる方向を切り替えるものであり、例えば四方弁である。室外熱交換器７３は、例えば室外空気と冷媒との間で熱交換するものである。室外熱交換器７３は、冷房運転時には凝縮器として作用し、暖房運転時には蒸発器として作用する。
【００１１】  室外送風機７４は、室外熱交換器７３に室外空気を送る機器である。膨張部７５は、冷媒を減圧して膨張する減圧弁又は膨張弁である。膨張部７５は、例えば開度が調整される電子式膨張弁である。熱交換器３は、例えば室内空気と冷媒との間で熱交換するものである。熱交換器３は、冷房運転時には蒸発器として作用し、暖房運転時には凝縮器として作用する。遠心送風機２は、熱交換器３に室内空気を送る機器である。
【００１２】  （運転モード、冷房運転）  次に、空気調和機１０００の運転モードについて説明する。先ず、冷房運転について説明する。冷房運転において、圧縮機７１に吸入された冷媒は、圧縮機７１によって圧縮されて高温高圧のガス状態で吐出する。圧縮機７１から吐出された高温高圧のガス状態の冷媒は、流路切替装置７２を通過して、凝縮器として作用する室外熱交換器７３に流入し、室外熱交換器７３において、室外送風機７４によって送られる室外空気と熱交換されて凝縮液化する。凝縮された液状態の冷媒は、膨張部７５に流入し、膨張部７５において膨張及び減圧されて低温低圧の気液二相状態の冷媒となる。そして、気液二相状態の冷媒は、蒸発器として作用する熱交換器３に流入し、熱交換器３において、遠心送風機２によって送られる室内空気と熱交換されて蒸発ガス化する。このとき、室内空気が冷やされ、室内において冷房が実施される。蒸発した低温低圧のガス状態の冷媒は、流路切替装置７２を通過して、圧縮機７１に吸入される。
【００１３】  （運転モード、暖房運転）  次に、暖房運転について説明する。暖房運転において、圧縮機７１に吸入された冷媒は、圧縮機７１によって圧縮されて高温高圧のガス状態で吐出する。圧縮機７１から吐出された高温高圧のガス状態の冷媒は、流路切替装置７２を通過して、凝縮器として作用する熱交換器３に流入し、熱交換器３において、遠心送風機２によって送られる室内空気と熱交換されて凝縮液化する。このとき、室内空気が暖められ、室内において暖房が実施される。凝縮された液状態の冷媒は、膨張部７５に流入し、膨張部７５において膨張及び減圧されて低温低圧の気液二相状態の冷媒となる。そして、気液二相状態の冷媒は、蒸発器として作用する室外熱交換器７３に流入し、室外熱交換器７３において、室外送風機７４によって送られる室外空気と熱交換されて蒸発ガス化する。蒸発した低温低圧のガス状態の冷媒は、流路切替装置７２を通過して、圧縮機７１に吸入される。
【００１４】  図２は、本発明の実施の形態１に係る空気調和機１０００の室内機５０を示す組立斜視図である。図２に示すように、空気調和機１０００は、例えば、天井埋め込み形空気調和機である。空気調和機１０００の室内機５０は、天井に取り付けられる室内機本体１００と、室内機本体１００に着脱自在に組付けられる組付けユニット２００と、組付けユニット２００に着脱自在に取り付けられる化粧パネル３００とを備える。また、室内機５０は、室内機本体１００に組付けユニット２００を仮掛けする仮掛け装置７（図４参照）と、組付けユニット２００に化粧パネル３００を仮掛けする化粧パネル用フック１１（図４参照）とを備えている。
【００１５】  図３は、本発明の実施の形態１に係る空気調和機１０００の室内機５０を示す断面図である。図３に示すように、室内機本体１００は、例えば有底角筒状の筐体であり、室内機本体１００の中央下部には、室内空気が吸い込まれる吸込み口１が形成されている。また、室内機本体１００の内側壁側には、空気が通過する風路４が形成されている。室内機本体１００の内部には、遠心送風機２と、熱交換器３とが設けられている。遠心送風機２は、吸込み口１から室内空気を吸い込み、放射状に吹き出す。熱交換器３は、遠心送風機２を囲うように配置されており、室外機６０から送られる冷媒と室内空気との間で熱交換する。遠心送風機２によって吸込み口１から吸い込まれた室内空気は、熱交換器３において冷媒と熱交換されることによって温度が調節され、風路４を通って再び室内に戻る。
【００１６】  図４は、本発明の実施の形態１に係る空気調和機１０００の室内機５０を示す分解斜視図である。図４に示すように、室内機本体１００は、天井から吊り下げられた吊りボルト（図示せず）が挿入されてネジ止めされる吊り金具６を備えている。吊り金具６は、例えば室内機本体１００の側面に４個設けられており、吊り金具６が吊りボルトにネジ止めされることによって、室内機本体１００が天井内に据え付けられる。また、室内機本体１００の内側壁には、仮掛け装置７が引っ掛かるように側方に突出した本体ツメ部１０が設けられている。
【００１７】  組付けユニット２００は、例えば左右方向の空気の吹き出し方向を制御する枠状の部材であり、ネジ１４によって室内機本体１００に固定される。化粧パネル３００は、パネル本体１９と、意匠パネル１６と、ベーン５と、グリル１７とを有している。パネル本体１９は、意匠性を改善するために、ネジ１５によって組付けユニット２００に固定される。意匠パネル１６は、ネジ１５等を覆って意匠性を改善するものであり、パネル本体１９の４隅にそれぞれ取り付けられている。ベーン５は、パネル本体１９の４辺において、揺動自在に設けられており、ベーン５が揺動することによって例えば上下方向の空気の吹き出し方向を制御する。グリル１７は、室内機本体１００の吸込み口１を覆って、吸い込まれる室内空気のフィルタリングを行う。
【００１８】  図５は、本発明の実施の形態１に係る仮掛け装置７を示す斜視図である。仮掛け装置７は、室内機５０の対角上に２個設けられており、前述の如く、室内機本体１００に組付けユニット２００を仮掛けるための部材である。図５に示すように、仮掛け装置７は、組付けユニット２００に取り付けられる組付け具８と、組付け具８に回転自在に取り付けられるフック部９とを有している。組付け具８は、本体部８ｅと、一対の軸挿入部８ｃと、ストッパ２０と、組付けツメ部１３とを有している。本体部８ｅは、組付けユニット２００に取り付けられる平板状の部材である。一対の軸挿入部８ｃは、フック部９の回転軸部９ｄ（図６参照）が挿入され、本体部８ｅの下部が円状に曲げられたものである。ストッパ２０は、本体部８ｅに設けられ、軸挿入部８ｃを軸として回転するフック部９の回転範囲を規制する。
【００１９】  ストッパ２０は、フック部９の規制部９ｂ（図６参照）が回転したときの移動量が、本体ツメ部１０の突出長さよりも短くなるように、フック部９の回転範囲を規制する。ストッパ２０は、本体側押さえ部８ｂと、反対側押さえ部８ａとを有している。本体側押さえ部８ｂは、フック部９の規制部９ｂ（図６参照）が室内機本体１００側に回転することを規制するように、規制部９ｂの室内機本体１００側を押さえる。具体的には、本体側押さえ部８ｂは、本体部８ｅが切り起こされた部分である。フック部９が室内機本体１００側に回転しようとしても、切り起こされた部分に当たる。従って、規制部９ｂが室内機本体１００側に回転することが規制される。
【００２０】  反対側押さえ部８ａは、フック部９の規制部９ｂが室内機本体１００側とは反対側に回転することを規制するように、規制部９ｂの室内機本体１００側とは反対側を押さえる。具体的には、反対側押さえ部８ａは、本体部８ｅが本体側押さえ部８ｂよりも高く切り起こされた部分であり、切り起こされた部分の内部にフック部９が挿入される。これにより、フック部９が室内機本体１００側とは反対側に回転しようとしても、切り起こされた部分に当たる。従って、規制部９ｂが室内機本体１００とは反対側に回転することが規制される。
【００２１】  組付けツメ部１３は、本体部８ｅの下部において一対の軸挿入部８ｃの間に設けられており、本体部８ｅから突出している。組付けツメ部１３には、化粧パネル用フック１１の化粧パネルフック部１２が引っ掛けられる。なお、組付けツメ部１３の寸法は、本体ツメ部１０の寸法と同一である。
【００２２】  図６は、本発明の実施の形態１に係るフック部９を示す正面図である。フック部９は、ワイヤを曲げて製造されたものであり、一対の回転軸部９ｄと、一対の脚部９ｃと、一対の規制部９ｂと、仮掛け部９ａとを有している。回転軸部９ｄは、水平方向に延び、組付け具８の軸挿入部８ｃに挿入されて組付け具８に回転自在に設けられている。脚部９ｃは、一対の回転軸部９ｄから上方に延びる。一対の脚部９ｃは、組付けツメ部１３から離間している。規制部９ｂは、一対の脚部９ｃに接続され、一対の脚部９ｃよりも内側において上方に延びる。一対の規制部９ｂは、例えば互いに接触する寸前まで近づけられている。仮掛け部９ａは、一対の規制部９ｂに接続され、本体ツメ部１０に引っ掛けられるように枠状をなしている。
【００２３】  図７は、本発明の実施の形態１に係るフック部９を示す断面図である。図７に示すように、フック部９は、組付け具８の反対側押さえ部８ａと本体側押さえ部８ｂとの間に挿入されている。これにより、フック部９が室内機本体１００側に回転しようとしても、本体側押さえ部８ｂに当たり、フック部９が室内機本体１００とは反対側に回転しようとしても、反対側押さえ部８ａに当たる。従って、フック部９が回転することが抑制される。
【００２４】  これにより、仮掛け装置７において、仮掛け作業時にフック部９が室内機本体１００側とは反対側に倒れこんで本体ツメ部１０に引っ掛けにくくなることを抑制し、作業性が向上する。また、仮掛け後にネジ１４で本固定された後、フック部９がほかの部品と接触することによって生じる異音を抑える。更に、例えば地震等の予期せぬ外力によって、本固定のための使用されているネジ１４が外れても、フック部９の回転範囲が本体ツメ部１０の突出長さよりも短いため、組付けユニット２００が落下する前に確実に室内機本体１００に引っ掛かる。従って、組付けユニット２００の落下を抑制することができる。
【００２５】  図４に示すように、化粧パネル用フック１１は、室内機５０の対角上に２個設けられており、化粧パネル３００に設けられ、組付けユニット２００に化粧パネル３００を仮掛けする。化粧パネル用フック１１は、枠状の化粧パネルフック部１２を有しており、化粧パネルフック部１２が組付け具８の組付けツメ部１３に引っ掛かることによって、組付けユニット２００に化粧パネル３００を仮掛けする。なお、前述如く、一対の脚部９ｃは、組付けツメ部１３から離間しているため、化粧パネルフック部１２と互いに干渉しない寸法である。これにより、上下方向の同一投影面において、仮掛け装置７及び化粧パネル用フック１１が配置されることが可能である。
【００２６】  次に、室内機５０の据え付けについて説明する。先ず、天井から吊り下げられた吊りボルトが室内機本体１００の吊り金具６にネジ止めされて、室内機本体１００が天井の内部に据付けられる。次に、組付けユニット２００に取り付けられた仮掛け装置７のフック部９の仮掛け部９ａが、室内機本体１００の本体ツメ部１０に引っ掛けられて、組付けユニット２００が室内機本体１００に仮掛けられる。その後、ネジ１４を用いて、組付けユニット２００が室内機本体１００に本固定される。そして、化粧パネル３００に取り付けられた化粧パネル用フック１１の化粧パネルフック部１２が、仮掛け装置７の組付け具８の組付けツメ部１３に引っ掛けられて、化粧パネル３００のパネル本体１９が組付けユニット２００に仮掛けられる。その後、ネジ１５を用いて、パネル本体１９が組付けユニット２００に本固定される。
【００２７】  この状態で、意匠パネル１６及びグリル１７がパネル本体１９に取り付けられて、室内機５０が天井に据え付けられる。なお、本実施の形態１では、仮掛け装置７及び化粧パネル用フック１１は、室内機５０の対角上に２個ずつ設けられており、片側ずつ順に仮掛けられる場合について例示しているが、仮掛け装置７及び化粧パネル用フック１１の使用個数及び設置位置は適宜変更可能である。作業性に問題がなく、且つ荷重をバランス良く受けることができればよい。
【００２８】  図８は、比較例に係る仮掛け装置９０を示す正面図である。図８に示すように、比較例に係る仮掛け装置９０は、一対の回転軸部９ｄと、一対の回転軸部９ｄから上方に延びる一対の脚部９ｃと、一対の脚部９ｃ同士を接続する仮掛け部９ａとを有している。即ち、仮掛け装置９０は、Ｕ字状をなしている。仮掛け部９ａに対し上方に大きな張力が加わると、一対の脚部９ｃが内側に撓む。このため、回転軸部９ｄが組付け具８の軸挿入部８ｃから抜ける方向に変形する。
【００２９】  これに対し、本実施の形態１は、仮掛け装置７のフック部９が一対の規制部９ｂを有しているため、仮掛け部９ａに上方向の大きな力が加わって一対の脚部９ｃが内側に撓もうとしても、その前に一対の規制部９ｂ同士がぶつかる。このため、一対の脚部９ｃが撓もうとすることを抑制する。従って、回転軸部９ｄの変形が抑制されるため、軸挿入部８ｃから抜け難い。よって、組付けユニット２００に過剰な荷重がかかっても、落下することが抑制される。このように、室内機本体１００に組付けユニット２００が確実に仮掛けられる。よって、従来のように仮掛け装置７が室内機本体１００と化粧パネル３００との間に使用するだけでなく、室内機本体１００と化粧パネル３００との間に更に組付けユニット２００を挟み、室内機本体１００と組付けユニット２００との間に使用することができる。
【００３０】  また、室内機５０が据え付けられた後、地震等によって本固定を行っているネジ１４が機能しなくなった場合、仮掛け装置７及び化粧パネル用フック１１によって、組付けユニット２００及び化粧パネル３００が落下することを防止する。即ち、仮掛け装置７及び化粧パネル用フック１１は、落下防止の機能を有している。従来、フック部９の位置がツメ部に引っ掛かる位置と異なる場合があり、落下防止の機能の確実性に疑問がある。これに対し、本実施の形態１は、据付後も、フック部９の仮掛け部９ａが本体ツメ部１０と同じ位置にあるため、落下防止の機能を確実に得ることができる。また、据付後も、化粧パネル用フック１１の化粧パネルフック部１２が組付けツメ部１３と同じ位置にあるため、落下防止の機能を確実に得ることができる。ここで、化粧パネル用フック１１は、化粧パネル３００の自重のみ支持すれば足りるが、仮掛け装置７は、組付けユニット２００の自重及び化粧パネル３００の自重を支持する必要がある。このため、仮掛け装置７は、単純なＵ字状ではなく、規制部９ｂを設けることによって、より強く引っ張られる力に対抗している。
【００３１】  なお、組付けツメ部１３の寸法は、本体ツメ部１０の寸法と同一である。このため、組付けユニット２００が不要な場合、本体ツメ部１０に化粧パネル用フック１１の化粧パネルフック部１２が引っ掛けられることが可能である。また、組付けユニット２００が複数重ねて使用される場合、それぞれの仮掛け装置７を用いて仮掛けることができる。即ち、組付けユニット２００の使用の有無及び使用個数に依らず、仮掛けを行うことができる。
【００３２】実施の形態２．  図９は、本発明の実施の形態２に係る仮掛け装置７ａを示す斜視図である。本実施の形態２は、ストッパ２０が、本体側押さえ部８ｄのみを有する点で、実施の形態１と相違する。本実施の形態２では、実施の形態１と同一の部分は同一の符号を付して説明を省略し、実施の形態１との相違点を中心に説明する。
【００３３】  図９に示すように、本体側押さえ部８ｄは、本体部８ｅの上端に設けられており、規制部９ｂの室内機本体１００側を押さえる。
【００３４】  図１０は、本発明の実施の形態２に係る仮掛け装置７ａを示す断面図である。図１０に示すように、フック部９が室内機本体１００側に回転しようとしても、本体側押さえ部８ｄに干渉して当たる。従って、フック部９が回転することが抑制される。本実施の形態２のように、ストッパ２０が本体側押さえ部８ｄのみで構成されていても、実施の形態１と同様に、仮掛け装置７のフック部９が一対の規制部９ｂを有している。このため、仮掛け部９ａに上方向の大きな力が加わって一対の脚部９ｃが内側に撓もうとしても、その前に一対の規制部９ｂ同士がぶつかる。このため、一対の脚部９ｃが撓もうとすることを抑制する。従って、回転軸部９ｄの変形が抑制されるため、軸挿入部８ｃから抜け難い。よって、組付けユニット２００に過剰な荷重がかかっても、落下することが抑制される。
【００３５】  なお、本実施の形態１及び２では、天井埋め込み形空気調和機の室内機５０について例示したが、これに限定されない。例えば、冷蔵装置、冷凍装置又は他の冷凍サイクル装置の室内機５０に適用することもできる。また、冷凍サイクル装置に限らず、送風機又は換気装置等に適用することもできる。
【符号の説明】
【００３６】  １  吸込み口、２  遠心送風機、３  熱交換器、４  風路、５  ベーン、６  吊り金具、７  仮掛け装置、７ａ  仮掛け装置、８  組付け具、８ａ  反対側押さえ部、８ｂ  本体側押さえ部、８ｃ  軸挿入部、８ｄ  本体側押さえ部、８ｅ  本体部、９  フック部、９ａ  仮掛け部、９ｂ  規制部、９ｃ  脚部、９ｄ  回転軸部、１０  本体ツメ部、１１  化粧パネル用フック、１２  化粧パネルフック部、１３  組付けツメ部、１４  ネジ、１５  ネジ、１６  意匠パネル、１７  グリル、１９  パネル本体、２０  ストッパ、５０  室内機、６０  室外機、７０  冷媒回路、７１  圧縮機、７２  流路切替装置、７３  室外熱交換器、７４  室外送風機、７５  膨張部、９０  仮掛け装置、１００  室内機本体、２００  組付けユニット、３００  化粧パネル、１０００  空気調和機。
【図１】
0006932258.tif 000002
【図２】
0006932258.tif 000003
【図３】
0006932258.tif 000004
【図４】
0006932258.tif 000005
【図５】
0006932258.tif 000006
【図６】
0006932258.tif 000007
【図７】
0006932258.tif 000008
【図８】
0006932258.tif 000009
【図９】
0006932258.tif 000010
【図１０】
0006932258.tif 000011